(57)【特許請求の範囲】
【請求項１】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、回転操作自在な回転ハンドル手段と、この回転ハンドル手段の逆転を禁止するハンドル逆転禁止手段と、回転ハンドル手段からの回転を巻き取りドラムに伝達すると共に、巻き取りドラムの逆転において、ハンドル逆転禁止手段により逆転が禁止されている回転ハンドル手段に対して巻き取りドラムを空転させる回転伝達手段と、巻き取りドラムの逆転を禁止する巻き取りドラム逆転禁止手段と、この巻き取りドラム逆転禁止手段の逆転禁止を解除する解除手段と、逆転禁止が解除された状態の巻き取りドラム逆転禁止手段を元に復帰させる復帰手段とを具備しており、巻き取りドラム逆転禁止手段は、内歯歯車の外周に設けられたラチェット歯と、このラチェット歯に係合するラチェット爪部材と、このラチェット爪部材を揺動自在に備えている回動自在なアーム部材と、ラチェット爪部材をラチェット歯に係合する方向に弾性的に付勢する弾性手段と、アーム部材を一方の方向に回動するように弾性的に付勢する弾性手段と、ラチェット爪部材のラチェット歯への係合を維持するべく、アーム部材の一端に当接してアーム部材の一方の方向の回動を阻止する変位自在な維持手段とを具備しており、解除手段は、手動操作によりアーム部材の一端の維持手段への当接を解除するべく、維持手段を変位させるようになっている窓開閉操作装置。
【請求項２】
回転伝達手段は、遊星歯車機構を具備しており、遊星歯車機構は、回転ハンドル手段に連結された入力軸と、この入力軸に設けられた太陽歯車と、この太陽歯車に噛み合って太陽歯車の周りに配されて、巻き取りドラムに回転自在に支持された遊星歯車と、この遊星歯車に噛み合って遊星歯車を取り囲むと共に、巻き取りドラムに対して回転自在に配された内歯歯車とを具備している請求項１に記載の窓開閉操作装置。
【請求項３】
回転ハンドル手段は、円盤状のハンドル基体と、このハンドル基体に取り付けられたハンドル摘みとを具備しており、ハンドル逆転禁止手段は、ハンドル基体に固定して設けられた他のラチェット歯と、この他のラチェット歯に係合された揺動自在な他のラチェット爪部材と、この他のラチェット爪部材を他のラチェット歯への係合方向に弾性的に付勢する弾性手段とを具備している請求項１又は２に記載の窓開閉操作装置。
【請求項４】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、回転操作自在な回転ハンドル手段と、この回転ハンドル手段の逆転を禁止するハンドル逆転禁止手段と、回転ハンドル手段からの回転を巻き取りドラムに伝達すると共に、巻き取りドラムの逆転において、ハンドル逆転禁止手段により逆転が禁止されている回転ハンドル手段に対して巻き取りドラムを空転させる回転伝達手段と、巻き取りドラムの逆転を禁止する巻き取りドラム逆転禁止手段と、この巻き取りドラム逆転禁止手段の逆転禁止を解除する解除手段と、逆転禁止が解除された状態の巻き取りドラム逆転禁止手段を元に復帰させる復帰手段とを具備しており、巻き取りドラム逆転禁止手段は、内歯歯車の外周に設けられたラチェット歯と、このラチェット歯に係合するラチェット爪部材と、このラチェット爪部材を揺動自在に備えている回動自在なアーム部材と、アーム部材を一方の方向に回動するように弾性的に付勢する弾性手段と、ラチェット爪部材のラチェット歯への係合を維持するべく、アーム部材の一端に当接してアーム部材の一方の方向の回動を阻止する変位自在な維持手段とを具備しており、回転ハンドル手段は、円盤状のハンドル基体を具備しており、ハンドル逆転禁止手段は、ハンドル基体に固定して設けられた他のラチェット歯と、この他のラチェット歯に係合された揺動自在な他のラチェット爪部材とを具備しており、解除手段は、手動操作によりアーム部材の一端の維持手段への当接を解除するべく、維持手段を変位させるようになっており、復帰手段は、ハンドル基体の回転によるハンドル逆転禁止手段の他のラチェット爪部材の揺動で揺動される揺動自在部材を具備しており、揺動自在部材は、その揺動においてアーム部材の他端に当接して、アーム部材を他方の方向に回動させるようになっている窓開閉操作装置。
【請求項５】
維持手段は、揺動自在に支持された他の揺動自在部材と、アーム部材の一方の方向の回動を阻止する揺動方向に揺動自在部材を弾性的に付勢する弾性手段とを具備している請求項１から４のいずれか一項に記載の窓開閉操作装置。
【請求項６】
巻き取りドラムの逆転における当該巻き取りドラムの回転速度を抑える制動手段を更に具備している請求項１から５のいずれか一項に記載の窓開閉操作装置。
【発明の詳細な説明】
【０００１】
【発明の属する技術分野】
本発明は、常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置に関する。
【０００２】
【発明が解決しようとする課題】
窓開閉操作装置としては、実公平６−１３９８２号公報に記載されているものがあるが、この公報に記載された窓開閉操作装置では、巻き取りドラムに形成されたラチェットホイールに係合する二つのラチェット爪部材を設けて、ワイヤを巻き取りドラムに巻き取る際には、一方のラチェット爪部材をラチェットホイールに係合させて、巻き取りドラムの逆転を禁止（ロック）し、ワイヤを巻き取りドラムから繰り出す際には、押しボタンの操作により一方のラチェット爪部材とラチェットホイールとの係合を解除（ロック解除）して、他方のラチェット爪部材をラチェットホイールに係合させ、繰り出し後のワイヤの巻き取りにおいては、他方のラチェット爪部材とラチェットホイールとの係合により押しボタンの自動復帰を行わせるようにしている。
【０００３】
ところで、公報に記載の窓開閉操作装置においては、ラチェットホイールの回転で、他方のラチェット爪部材をラチェットホイールの係止歯から押し出すようにして押しボタンの自動復帰を行っているために、他方のラチェット爪部材とラチェットホイールの係止歯との間の摩擦が大きいと、押しボタンの自動復帰がスムーズに行われない虞があり、また、他方のラチェット爪部材とラチェットホイールの係止歯との係合角が浅いものでないと、他方のラチェット爪部材をラチェットホイールの係止歯から押し出すことが困難となり、他方のラチェット爪部材がラチェットホイールの回転に対しての突っ張り部材となり、結局、上記と同様に、押しボタンの自動復帰をスムーズに且つ信頼性をもって行い得ない場合が生じ得る。
【０００４】
また、ロック及びロック解除に二つのラチェット爪部材を設けるために構造が複雑となり、しかも、この二つのラチェット爪部材及びラチェットホイールの係止歯を上記の不都合が生じないように、設計、調整しなければならないために、コストアップになる虞がある。
【０００５】
更に、公報に記載の窓開閉操作装置においては、操作ハンドルは着脱式となっているために、操作ハンドルの紛失等により障子を閉鎖できなくなる場合があり、それ程実用的であるとは言えず、加えて、不注意により操作ハンドルを取り付けけたままでロック解除が行われると、操作ハンドルの飛び出し又は操作指の操作ハンドルへの巻き込み等が生じ、思わぬ事故の原因となる虞がある。
【０００６】
本発明は、前記諸点に鑑みてなされたものであって、その目的とするところは、設計、調整が容易であって、コスト低減を図り得る窓開閉操作装置を提供することにある。
【０００７】
本発明の他の目的とするところは、巻き取りドラムの逆転を禁止する禁止手段をスムーズに元に復帰させることができる窓開閉操作装置を提供することにある。
【０００８】
本発明の更に他の目的とするところは、操作ハンドルの紛失等を生じさせることがなく、しかも、操作ハンドルに適宜の逆転阻止力が付加されている場合には、巻き取りドラムが逆転されても、操作ハンドルが逆転しないようにした窓開閉操作装置を提供することにある。
【０００９】
本発明の更に他の目的とするところは、操作ハンドルの飛び出し又は操作指の操作ハンドルへの巻き込み等を生じさせない安全な窓開閉操作装置を提供することにある。
【００１０】
【課題を解決するための手段】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした本発明の第一の態様の窓開閉操作装置は、回転操作自在な回転ハンドル手段と、この回転ハンドル手段の逆転を禁止するハンドル逆転禁止手段と、回転ハンドル手段からの回転を巻き取りドラムに伝達すると共に、巻き取りドラムの逆転において、ハンドル逆転禁止手段により逆転が禁止されている回転ハンドル手段に対して巻き取りドラムを空転させる回転伝達手段と、巻き取りドラムの逆転を禁止する巻き取りドラム逆転禁止手段と、この巻き取りドラム逆転禁止手段の逆転禁止を解除する解除手段と、逆転禁止が解除された状態の巻き取りドラム逆転禁止手段を元に復帰させる復帰手段とを具備している。
【００１１】
第一の態様の窓開閉操作装置では、回転ハンドル手段と、ハンドル逆転禁止手段と、このハンドル逆転禁止手段により逆転が禁止されている回転ハンドル手段に対して巻き取りドラムを空転させる回転伝達手段とを具備するために、回転ハンドル手段の紛失等を生じさせることがなく、しかも、巻き取りドラムの逆転で回転ハンドル手段が逆転されることがなく、その上、ハンドル逆転禁止手段が正常に動作しないようになっても、回転ハンドル手段に適宜の逆転阻止力が付加されている場合には、巻き取りドラムが逆転されても、回転ハンドル手段が逆転しなく、而して、回転ハンドル手段の飛び出し又は操作指の回転ハンドル手段への巻き込み等を生じさせない安全なものを提供できる。
【００１２】
本発明の第二の態様の窓開閉操作装置では、第一の態様の窓開閉操作装置において、回転伝達手段は、遊星歯車機構を具備しており、遊星歯車機構は、回転ハンドル手段に連結された入力軸と、この入力軸に設けられた太陽歯車と、この太陽歯車に噛み合って太陽歯車の周りに配されて、巻き取りドラムに回転自在に支持された遊星歯車と、この遊星歯車に噛み合って遊星歯車を取り囲むと共に、巻き取りドラムに対して回転自在に配された内歯歯車とを具備している。
【００１３】
第二の態様の窓開閉操作装置によれば、回転伝達手段が遊星歯車機構を具備して構成されているために、構成が簡単となる上に、回転ハンドル手段に対する巻き取りドラムの空転を確実且つ滑らかに行わせることができ、而して、ハンドル逆転禁止手段が正常に動作しない場合でも、回転ハンドル手段への少しの逆転阻止力の付加により、巻き取りドラムの逆転での回転ハンドルの逆転を確実に阻止でき、更にフェールセーフな安全なものを提供できる。
【００１４】
本発明の第三の態様の窓開閉操作装置では、第一又は第二の態様の窓開閉操作装置において、回転ハンドル手段は、円盤状のハンドル基体と、このハンドル基体に取り付けられたハンドル摘みとを具備しており、ハンドル逆転禁止手段は、ハンドル基体に固定して設けられたラチェット歯と、このラチェット歯に係合された揺動自在なラチェット爪部材と、このラチェット爪部材をラチェット歯への係合方向に弾性的に付勢する弾性手段とを具備している。
【００１５】
第三の態様の窓開閉操作装置によれば、円盤状のハンドル基体を具備しているために、操作指の回転ハンドル手段への巻き込み等を生じさせない安全なものを提供でき、また、ラチェット歯とラチェット爪部材とでハンドル逆転禁止手段を構成するために、逆転禁止に関して信頼性のあるものを提供できる。
【００１６】
本発明の第四の態様の窓開閉操作装置では、上記のいずれかの態様の窓開閉操作装置において、巻き取りドラム逆転禁止手段は、内歯歯車の外周に設けられた他のラチェット歯と、この他のラチェット歯に係合する他のラチェット爪部材と、この他のラチェット爪部材を揺動自在に備えている回動自在なアーム部材と、他のラチェット爪部材を他のラチェット歯に係合する方向に弾性的に付勢する弾性手段と、アーム部材を一方の方向に回動するように弾性的に付勢する弾性手段と、他のラチェット爪部材の他のラチェット歯への係合を維持するべく、アーム部材の一端に当接してアーム部材の一方の方向の回動を阻止する変位自在な維持手段とを具備しており、解除手段は、手動操作によりアーム部材の一端の維持手段への当接を解除するべく、維持手段を変位させるようになっている。
【００１７】
第四の態様の窓開閉操作装置によれば、他のラチェット爪部材を備えている回動自在なアーム部材と、アーム部材の一端に当接してアーム部材の一方の方向の回動を阻止する変位自在な維持手段とを具備し、解除手段が維持手段を変位させるようになっているために、設計、調整が容易であって、コスト低減を図り得る。
【００１８】
本発明の第五の態様の窓開閉操作装置では、第一の態様の窓開閉操作装置において、回転ハンドル手段は、円盤状のハンドル基体を具備しており、ハンドル逆転禁止手段は、ハンドル基体に固定して設けられたラチェット歯と、このラチェット歯に係合された揺動自在なラチェット爪部材とを具備しており、巻き取りドラム逆転禁止手段は、内歯歯車の外周に設けられた他のラチェット歯と、この他のラチェット歯に係合する他のラチェット爪部材と、この他のラチェット爪部材を揺動自在に備えている回動自在なアーム部材と、アーム部材を一方の方向に回動するように弾性的に付勢する弾性手段と、他のラチェット爪部材の他のラチェット歯への係合を維持するべく、アーム部材の一端に当接してアーム部材の一方の方向の回動を阻止する変位自在な維持手段とを具備しており、解除手段は、手動操作によりアーム部材の一端の維持手段への当接を解除するべく、維持手段を変位させるようになっており、復帰手段は、ハンドル基体の回転によるハンドル逆転禁止手段のラチェット爪部材の揺動で揺動される揺動自在部材を具備しており、揺動自在部材は、その揺動においてアーム部材の他端に当接して、アーム部材を他方の方向に回動させるようになっている。
【００１９】
第五の態様の窓開閉操作装置によれば、円盤状のハンドル基体を具備しているために、操作指の回転ハンドル手段への巻き込み等を生じさせない安全なものを提供でき、また、ラチェット歯とラチェット爪部材とでハンドル逆転禁止手段を構成するために、逆転禁止に関して信頼性のあるものを提供でき、しかも、他のラチェット爪部材を備えている回動自在なアーム部材と、アーム部材の一端に当接してアーム部材の一方の方向の回動を阻止する変位自在な維持手段とを具備し、解除手段が維持手段を変位させるようになっており、復帰手段が揺動自在部材を具備しており、揺動自在部材がアーム部材の他方の方向に回動させるようになっているために、極めて設計、調整が容易であって、コスト低減を大幅に図り得る。
【００２０】
本発明の第六の態様の窓開閉操作装置では、第四又は第五の態様の窓開閉操作装置において、維持手段は、揺動自在に支持された他の揺動自在部材と、アーム部材の一方の方向の回動を阻止する揺動方向に揺動自在部材を弾性的に付勢する弾性手段とを具備している。
【００２１】
本発明の第七の態様の窓開閉操作装置では、上記のいずれかの態様の窓開閉操作装置において、巻き取りドラムの逆転における当該巻き取りドラムの回転速度を抑える制動手段を更に具備している。
【００２２】
第七の態様の窓開閉操作装置によれば、制動手段を具備しているために、巻き取りドラムの逆回転におけるその回転速度を抑えて、障子の窓枠１２等への激突を防止できる。
【００２３】
【発明の実施の形態】
次に本発明及びその実施の形態を、図に示す好ましい例を参照して更に詳細に説明する。なお、本発明はこの例に何等限定されないのである。
【００２４】
【実施例】
図１から図９において、本例の窓開閉操作装置１は、常時は開放方向にガスステイ２により付勢された障子３に連結されたワイヤ４の一端が固着された巻き取りドラム６を正転、すなわちＦ方向に回転させることによりワイヤ４を巻き取りドラム６に巻き取って障子３を閉鎖し、ガスステイ２のガス圧及び障子３の自重に基づく障子３への開放付勢力により巻き取りドラム６の逆転、すなわちＲ方向の回転によりワイヤ４を巻き取りドラム６から繰り出して、障子３を開放するようになっている。
【００２５】
なお、本例では、障子３への開放付勢力を、ガスステイ２のガス圧及び障子３の自重により与えているが、これに代えて、障子３の自重のみで与えてもよく、また、板ばね又はコイルばね等により与えてもよい。
【００２６】
各ガスステイ２は、障子３の枠１１と窓枠１２との間に配されており、各障子３を常時そのガス圧により開放方向に付勢している。障子３及び窓枠１２等からなる排煙窓１３の窓枠１２に一端で回動自在に軸支された各障子３の夫々及び窓枠１２には、プーリ１４が取り付けられており、他端１５が窓枠１２に固定されたワイヤ４は、各プーリ１４を通って配索されている。
【００２７】
手動操作可能なように、排煙窓１３の下方の壁面等に配される窓開閉操作装置１は、前記の巻き取りドラム６と、回転操作自在な回転ハンドル手段２１と、回転ハンドル手段２１の逆転を禁止するハンドル逆転禁止手段２２と、回転ハンドル手段２１からの回転を巻き取りドラム６に伝達すると共に、巻き取りドラム６の逆転において、ハンドル逆転禁止手段２２により逆転が禁止されている回転ハンドル手段２１に対して巻き取りドラム６を空転させる回転伝達手段２３と、巻き取りドラム６の逆転を禁止する巻き取りドラム逆転禁止手段２４と、巻き取りドラム逆転禁止手段２４の逆転禁止を解除する解除手段２５と、逆転禁止が解除された状態の巻き取りドラム逆転禁止手段２４を元に復帰させる復帰手段２６と、巻き取りドラム６のＲ方向の回転における巻き取りドラム６の回転速度を抑える制動手段２７と、排煙窓１３の下方の壁面等にねじ等により固着される基台２８と、支柱部２９を一体に有しており、基台２８にねじ及び支柱２９等を介して取り付けられた中間基板３０と、ドラム６、ハンドル逆転禁止手段２２、回転伝達手段２３、巻き取りドラム禁止手段２４、復帰手段２６、制動手段２７及び中間基板３０等を覆うように、基台２８に着脱自在に取り付けられており、貫通孔３１及び３２を有した化粧カバー３３とを具備している。
【００２８】
巻き取りドラム６は、中空の巻き取りドラム本体３５と、巻き取りドラム本体３５の一端面にねじ３６等を介して取り付けられた環状の歯付き鍔部３７と、歯付き鍔部３７と同様に、巻き取りドラム本体３５の他端面にねじ等を介して取り付けられた環状の鍔部３８とを具備している。
【００２９】
巻き取りドラム６は、軸心４２を中心としたＦ方向の回転により、これに一端が固着されたワイヤ４を巻き取りドラム本体３５に巻き取り、解除手段２５の作動で、軸心４２を中心としたＦ方向と逆のＲ方向の回転により、巻き取りドラム本体３５に巻き取ったワイヤ４を繰り出すようになっている。
【００３０】
回転ハンドル手段２１は、化粧カバー３３の前面に配された円盤状のハンドル基体５１と、ハンドル基体５１に回転自在に取り付けられたハンドル摘み５２とを具備しており、ハンドル基体５１は、その中心部の六角孔５３に嵌合された回転軸５４の六角形の一端部５５にねじ５６により固着されており、ハンドル摘み５２を介してハンドル基体５１をＦ方向に回転させることにより、回転軸５４が同じく軸心４２を中心としてＦ方向に回転されるようになっている。
【００３１】
ハンドル逆転禁止手段２２は、中央部に、六角孔５３と同位置に配されて、回転軸５４の一端部５５が挿通された六角孔６１を有しており、ハンドル基体５１の裏面に一体的に固定して設けられた歯部材６２と、歯部材６２の外周に形成されたラチェット歯６３に係合された揺動自在なラチェット爪部材６４と、ラチェット爪部材６４をラチェット歯６３への係合方向に弾性的に付勢する捩りコイルばね６５からなる弾性手段６６とを具備している。
【００３２】
ラチェット爪部材６４は、揺動伝達軸７２の一端部に固着されており、揺動伝達軸７２は、その一端部側では、中間基板３０に形成された貫通孔７１を貫通して当該中間基板３０に回転自在に支持されており、他端部側では、基台２８に同じく回転自在に支持されている。
【００３３】
捩りコイルばね６５は、一端７５が中間基板３０に、他端７６がラチェット爪部材６４に夫々係止されて、中間部７７が揺動伝達軸７２において中間基板３０から突出する一端部側の周りに巻かれており、ラチェット爪部材６４をラチェット歯６３へ常に係合させるように弾性的に付勢している。
【００３４】
ハンドル逆転禁止手段２２は、捩りコイルばね６５の弾性力によるラチェット爪部材６４のラチェット歯６３への係合でハンドル基体５１のＲ方向の回転を禁止する一方、ハンドル基体５１のＦ方向の回転における捩りコイルばね６５の弾性力に抗するラチェット爪部材６４のラチェット歯６３への断続的な係合解除で、当該ハンドル基体５１のＦ方向の回転を許容するようになっている。
【００３５】
なお、揺動伝達軸７２は、ハンドル基体５１のＦ方向の回転によるラチェット爪部材６４のラチェット歯６３への断続的な係合でラチェット爪部材６４が揺動することにより、往復回動されるようになっている。
【００３６】
回転伝達手段２３は、遊星歯車機構８１を具備しており、遊星歯車機構８１は、回転ハンドル手段２１のハンドル基体５１に一端部５５が連結された入力軸としての前記の回転軸５４と、回転軸５４の他端部に一体的に形成されて設けられた太陽歯車８２と、太陽歯車８２に噛み合って太陽歯車８２の周りに配されていると共に、巻き取りドラム６の鍔部３８に回転自在に支持された３個の遊星歯車８３と、遊星歯車８３に噛み合う歯８４が内周面に形成されており、遊星歯車８３を取り囲む内歯歯車８５とを具備している。
【００３７】
回転軸５４は、太陽歯車８２が形成されたその他端部において基台２８に回転自在に支持されて、内歯歯車８５の中央孔９０及び巻き取りドラム６の中心貫通孔８６並びに鍔付きブッシュ８７の貫通孔８８、中間基板３０に形成された貫通孔８９及び化粧カバー３３の貫通孔３１を通って、ハンドル基体５１にその一端部５５が連結されて、配されている。
【００３８】
内歯歯車８５は、巻き取りドラム６の鍔部３８に隣接して、鍔部３８に対して軸心４２を中心として相対的にＦ及びＲ方向に回転自在となるように配されている。
【００３９】
なお、巻き取りドラム６の中央の貫通孔８６には、鍔付きブッシュ８７の円筒部９１が挿着されており、円筒部９１を介して巻き取りドラム６は、回転軸５４に対して相対的にＦ及びＲ方向に回転自在に支持されている。
【００４０】
遊星歯車機構８１は、巻き取りドラム逆転禁止手段２４により内歯歯車８５がＲ方向の回転が禁止されている際にハンドル基体５１がＦ方向に回転されて、回転軸５４が同じくＦ方向に回転されると、この回転を太陽歯車８２及び遊星歯車８３を介して巻き取りドラム６に伝達して、巻き取りドラム６がＦ方向に回転されるようにし、逆に、巻き取りドラム逆転禁止手段２４による内歯歯車８５のＲ方向の回転の禁止が解除されて、巻き取りドラム６がＲ方向に回転される際には、ハンドル逆転禁止手段２２によりハンドル基体５１のＲ方向の回転が禁止されて、回転軸５４もＲ方向の回転が禁止されている結果、巻き取りドラム６を回転ハンドル手段２１のハンドル基体５１に対して空転させるようになっている。
【００４１】
巻き取りドラム逆転禁止手段２４は、内歯歯車８５の外周に形成されたラチェット歯１０１と、ラチェット歯１０１に係合するラチェット爪部材１０２と、ラチェット爪部材１０２を揺動自在に備えている回動自在なアーム部材１０３と、ラチェット爪部材１０２をラチェット歯１０１に係合する方向に弾性的に付勢する弾性手段１０４と、アーム部材１０３を軸ピン１１８の周りで一方の方向、すなわちＡ方向に回動するように弾性的に付勢する弾性手段１０５と、ラチェット爪部材１０２のラチェット歯１０１への係合を維持するべく、アーム部材１０３の一端１０６に当接してアーム部材１０３のＡ方向の回動を阻止する変位自在な維持手段１０７とを具備している。
【００４２】
ラチェット爪部材１０２は、軸ピン１１１を介してアーム部材１０３の凹所１１２に揺動自在に取り付けられており、凹所１１２によりその揺動限界が規定されるようになっている。
【００４３】
アーム部材１０３は、凹所１１２が形成されたＬ形のアーム本体１１５と、アーム本体１１５に一体に形成された中空の軸受部１１６と、アーム本体１１５の一端に一体に且つ前面に立ち上がって形成されており、一端１０６を有したＬ形状部１１７とを具備しており、軸受部１１６に挿入されて且つアーム本体１１５を貫通して、一端が基台２８に固着された軸ピン１１８により、当該軸ピン１１８の周りでＡ及びＢ方向に回動となるように、基台２８に取り付けられている。
【００４４】
弾性手段１０４は、一端１２１がアーム本体１１５の一方の側面に形成された窪み１２２に係止されて、他端１２３がラチェット爪部材１０２に係止され、中間部１２４が軸ピン１１１の周りに巻かれて配された捩りコイルばね１２５からなる。
【００４５】
弾性手段１０５は、一端１３１がアーム本体１１５の他方の側面に形成された窪み１３２に係止されて、他端１３３が、基台２８に一体に形成された円筒部１３４に係止され、中間部１３５が軸受部１１６の周りに巻かれて配された捩りコイルばね１３６からなる。
【００４６】
維持手段１０７は、基台２８に一体に形成された支持部材１４１と、支持部材１４１に、軸ピン１４２を介してＣ及びＤ方向に変位自在、本例では揺動自在に支持された揺動自在部材１４３と、アーム部材１０３の一方の方向の回動、すなわちＡ方向の回動を阻止する揺動方向であるＣ方向に揺動自在部材１４３を弾性的に付勢する弾性手段１４４と、支持部材１４１に一体に形成されたストッパ突起１４５とを具備している。
【００４７】
揺動自在部材１４３は、板状部１４６と、板状部１２６に一体に形成されたアーム部１４７とを具備しており、アーム部１４７を貫通した軸ピン１４２によりＣ及びＤ方向に揺動自在に支持部材１４１に支持されており、アーム部１４７のストッパ突起１４５への当接により揺動自在部材１４３のＣ方向の揺動限界が規定されている。板状部１４６の側面に、Ｌ形状部１１７の一端１０６が当接するようになっている。
【００４８】
弾性手段１４４は、板状部１４６の一方の面に形成された凹所１５１と基台２８との間に配されたコイルばね１５２を具備しており、コイルばね１５２は、揺動自在部材１４３をＣ方向に弾性的に付勢している。
【００４９】
巻き取りドラム逆転禁止手段２４は、捩りコイルばね１３６の弾性力に抗してアーム部材１０３がＢ方向に回動され、揺動自在部材１４３がコイルばね１５２の弾性力によりＣ方向に付勢され、アーム部１４７がストッパ突起１４５に当接されて、板状部１４６の側面にＬ形状部１１７の一端１０６を当接させている際には、捩りコイルばね１２５の弾性力と共にラチェット爪部材１０２をラチェット歯１０１に係合させて、この係合により内歯歯車８５のＲ方向の回転を禁止し、而して、巻き取りドラム６のＲ方向の回転を禁止するようにしている。
【００５０】
解除手段２５は、基台２８に一体的に形成された円筒部１６１内に、当該円筒部１６１に対してＥ及びＧ方向に移動自在に挿着された押しボタン部材１６２と、押しボタン部材１６２をＥ方向に弾性的に付勢する弾性手段１６３とを具備している。
【００５１】
押しボタン部材１６２は、カップ状部１６４と、カップ状部１６４の円筒部１６５に一体的に形成されて、円筒部１６１の切り欠け（スリット）１６６から外部に突出した係合板部１６７とを具備しており、カップ状部１６４は、その閉塞端面部１６８が貫通孔３２に臨んで配されており、係合板部１６７は、板状部１４６をＤ方向に揺動できるように、板状部１４６上に重ね合わされて、外部に伸びている。
【００５２】
弾性手段１６３は、カップ状部１６４の閉塞端面部１６８と基台２８との間に配されたコイルばね１７１からなる。
【００５３】
解除手段２５は、手動操作により押しボタン部材１６２がコイルばね１７１の弾性力に抗してＧ方向に押されることにより、係合板部１６７を介して板状部１４６をＤ方向に揺動させ、而して、アーム部材１０３の一端１０６の板状部１４６の側面への当接を解除して、アーム部材１０３のＡ方向の回動を許容する。
【００５４】
解除手段２５の作動で、アーム部材１０３のＡ方向の回動が許容されると、アーム部材１０３は、捩りコイルばね１３６の弾性力により図１０から図１２に示すように、Ａ方向に回動されて、これによりラチェット爪部材１０２のラチェット歯１０１への係合が解除されて、この係合解除により内歯歯車８５のＲ方向の回転が許容され、而して、巻き取りドラム６のＲ方向の回転が許容されるようになる。
【００５５】
復帰手段２６は、前記の揺動伝達軸７２と、揺動伝達軸７２に固着された揺動自在部材１７５とを具備しており、揺動自在部材１７５は、その揺動においてアーム部材１０３の他端１７６に当接する突起１７７を一体的に具備している。
【００５６】
揺動自在部材１７５は、ハンドル基体５１のＦ方向の回転によるハンドル逆転禁止手段２２のラチェット爪部材６４の断続的な揺動で、揺動伝達軸７２を介して同様に揺動されるようになっており、アーム部材１０３がＡ方向に回動されている際に、その揺動において、アーム部材１０３の他端１７６に当接して、アーム部材１０３をＢ方向に回動させるようになっている。
【００５７】
復帰手段２６は、図１０から図１２に示すように、揺動自在部材１４３がＤ方向に揺動された状態で、障子３を閉じるべくハンドル基体５１がＦ方向に回転されることにより、突起１７７をアーム部材１０３の他端１７６に当接させて当該他端１７６を蹴り上げて、アーム部材１０３をＢ方向に回動させ、而して、図６から図９に示す位置にアーム部材１０３、揺動自在部材１４３及びラチェット爪部材１０２を復帰させる。
【００５８】
制動手段２７は、鍔部３７の外周面に形成された歯１８１に噛み合うようにして、中間基板３０の貫通孔１８２に回転自在に支持された歯車１８３と、歯車１８３に噛み合うピニオン１８４を一体的に有して、一端部１８５で中間基板３０の貫通孔１８６に、他端部（図示しない）で基台２８に回転自在に支持された軸部材１８７と、軸部材１８７に径方向に突出して形成された複数の突起１８８の夫々に、径方向に移動自在に装着された制動部材１８９と、各制動部材１８９の外周部の溝１９０に装着されて各制動部材１８９の周囲を取り囲み、各制動部材１８９を軸部材１８７に向かって弾性的に付勢する伸縮自在な環状のガータスプリング１９１と、基台２８に一体的に形成された前記の円筒部１３４とを具備しており、各制動部材１８９は、円筒部１３４に囲まれて配されている。
【００５９】
制動手段２７は、歯車１８３の回転でピニオン１８４を介して軸部材１８７が回転されることにより、制動部材１８９に遠心力を与えて、一定以上の大きさの遠心力により制動部材１８９をガータスプリング１９１の弾性力に抗して径方向の外側に移動させて、制動部材１８９の外周面を円筒部１３４の内周面に摩擦接触させて、制動部材１８９の回転、すなわち歯車１８３の回転に制動を与えるようになっている。
【００６０】
制動手段２７のこの制動作用により、巻き取りドラム６のＲ方向の回転におけるその回転速度を抑えて、障子３の窓枠１２等への激突を防止するようにしている。
【００６１】
以上の窓開閉操作装置１では、ハンドル基体５１がＦ方向にハンドル摘み５２を介して手動により回転されることにより、遊星歯車機構８１を介して巻き取りドラム６が、同じくＦ方向に回転される結果、ワイヤ４が巻き取りドラム６に巻き取られて、而して、ガスステイ２のガス圧等に抗して障子３を閉鎖することができる。
【００６２】
完全閉鎖後又は閉鎖途中で、ハンドル基体５１へのＦ方向の回転力の付与を停止すると、ラチェット爪部材６４のラチェット歯６３への係合と、ラチェット爪部材１０２のラチェット歯１０１への係合により、巻き取りドラム６のＲ方向の回転が阻止され、障子３の完全閉鎖又は半開きが維持される。
【００６３】
また、窓開閉操作装置１では、押しボタン部材１６２がＧ方向に手動により押されると、図１０から図１２に示すように、揺動自在部材１４３がＤ方向に揺動され、板状部１４６の側面へのＬ形状部１１７の一端１０６の当接が解除され、アーム部材１０３のＡ方向の回動が許容され、アーム部材１０３が捩りコイルばね１３６の弾性力によりＡ方向に回動されて、これによりラチェット爪部材１０２のラチェット歯１０１への係合が解除されて、この係合解除により巻き取りドラム６のＲ方向の回転が許容され、以後、巻き取りドラム６は、ワイヤ４を介するガスステイ２のガス圧等によりＲ方向に回転され、巻き取りドラム６からワイヤ４が繰り出され、障子３が完全開放されると、図示しないストッパ等に障子３が当接して、ワイヤ４の繰り出しが停止され、巻き取りドラム６のＲ方向の回転が停止される。
【００６４】
そして、窓開閉操作装置１では、巻き取りドラム６のＲ方向の回転が速くなると、制動部材１８９の外周面の円筒状部１３４の内周面への摩擦接触が生じて、巻き取りドラム６のＲ方向の回転に制動を与えて、障子３の図示しないストッパ等への激突を避けるようになっており、また、ハンドル逆転禁止手段２２によりハンドル基体５１のＲ方向の回転が禁止されて、回転軸５４もＲ方向の回転が禁止されている結果、巻き取りドラム６のＲ方向の回転では、遊星歯車機構８１により巻き取りドラム６は、回転ハンドル手段２１に対して空転されるようになっている。
【００６５】
更に窓開閉操作装置１では、障子３の完全開放後、障子３を閉鎖するためにハンドル基体５１がＦ方向に回転されると、ラチェット爪部材６４の断続的な揺動が生じ、これにより突起１７７をアーム部材１０３の他端１７６に当接させて当該他端１７６を蹴り上げて、アーム部材１０２をＢ方向に回動させ、アーム部材１０２、揺動自在部材１４３及びラチェット爪部材１０２を元に復帰させるようになっている。
【００６６】
上記のように窓開閉操作装置１では、回転ハンドル手段２１の紛失等を生じさせることがなく、しかも、巻き取りドラム６の逆転で回転ハンドル手段２１が逆転されることがなく、その上、ハンドル逆転禁止手段２２が正常に動作しないようになっても、回転ハンドル手段２１に適宜の逆転阻止力が付加されている場合には、巻き取りドラム６が逆転されても、回転ハンドル手段２１が逆転しなく、而して、回転ハンドル手段２１の飛び出し又は操作指の回転ハンドル手段２１への巻き込み等を生じさせない。
【００６７】
また窓開閉操作装置１では、構成が簡単となる上に、回転ハンドル手段２１に対する巻き取りドラム６の空転を確実且つ滑らかに行わせることができ、操作指の回転ハンドル手段２１への巻き込み等を生じさせない安全なものを提供できる上に、逆転禁止に関して信頼性のあるものとすることができる。
【００６８】
【発明の効果】
本発明によれば、設計、調整が容易であって、コスト低減を図り得、巻き取りドラムの逆転を禁止する巻き取りドラム逆転禁止手段をスムーズに元に復帰させることができ、また、回転ハンドル手段の紛失等を生じさせることがなく、しかも、回転ハンドル手段に適宜の逆転阻止力が付加されている場合には、巻き取りドラムが逆転されても、回転ハンドル手段が逆転しないようにでき、その上、回転ハンドル手段の飛び出し又は操作指の回転ハンドル手段への巻き込み等を生じさせない安全な窓開閉操作装置を提供することができる。
【図面の簡単な説明】
【図１】本発明の好ましい一実施の形態の図２に示す例の分解説明図である。
【図２】本発明の好ましい一実施の形態の例の全体斜視図である。
【図３】図２の例を排煙窓に適用した例の説明図である。
【図４】図２の例のカバーの斜視図である。
【図５】図２の例のカバーを取り除いた正面図である。
【図６】図２の例のカバー及び中間基板等を取り除いた正面図である。
【図７】図２の例のカバー、中間基板及び巻き取りドラム等を取り除いた正面図である。
【図８】図２の例の一部の断面説明図である。
【図９】図２の例の一部分の断面説明図である。
【図１０】図２の例の動作説明図である。
【図１１】図２の例の動作説明図である。
【図１２】図２の例の動作説明図である。
【符号の説明】
１  窓開閉操作装置
２  ガスステイ
３  障子
４  ワイヤ
６  巻き取りドラム
２１  回転ハンドル手段
２２  ハンドル逆転禁止手段
２３  回転伝達手段
２４  巻き取りドラム逆転禁止手段
２５  解除手段
２６  復帰手段
【図１】
0004138113.tif 000002
【図２】
0004138113.tif 000003
【図３】
0004138113.tif 000004
【図４】
0004138113.tif 000005
【図５】
0004138113.tif 000006
【図６】
0004138113.tif 000007
【図７】
0004138113.tif 000008
【図８】
0004138113.tif 000009
【図９】
0004138113.tif 000010
【図１０】
0004138113.tif 000011
【図１１】
0004138113.tif 000012
【図１２】
0004138113.tif 000013